(57)【要約】【課題】  通信開始前に実際の算出スループットをユーザに提示する。【解決手段】  無線通信端末１００の送受信部１１０は、待機状態において第１の信号を無線基地局へ送信して、通信した場合に予想される伝送速度（例えばスループット）を算出するための第２の信号（例えばＮｕｌｌデータ）を要求し、第１の信号に応じて無線基地局から送信される第２の信号を受信する。信号処理部１２０は、第２の信号が予め設定された情報量分受信された場合に、第２の信号の受信開始から該情報量に達するまでに要した時間と、受信した第２の信号の情報量とに基づき伝送速度を算出する。又は、信号処理部１２０は、第２の信号の送出終了通知が無線基地局から受信された場合に、第２の信号の受信開始から送出終了通知を受信するまでに要した時間と、受信した第２の信号の情報量とに基づき伝送速度を算出する。信号処理部１２０は、伝送速度を表示部１４０−２に表示する。【選択図】  図３ 
2005354126.tif 000002
【特許請求の範囲】
【請求項１】
待機状態において第１の信号を無線基地局へ送信し、無線通信路により無線基地局と接続された場合に予想される伝送速度を算出するための、第１の信号に応じた情報量分又は無線基地局により設定された情報量分のひとつ又は複数の第２の信号の送信を要求するための送信部と、
第１の信号に応じて無線基地局から送信されるひとつ又は複数の第２の信号を受信するための受信部と、
前記受信部によりひとつ又は複数の第２の信号が、第１の信号に応じた情報量分受信された場合に、第２の信号の受信開始から該情報量に達するまでに要した時間と、受信した第２の信号の情報量とに基づき伝送速度を算出する、又は、前記受信部により第２の信号の送出終了通知が無線基地局から受信された場合に、第２の信号の受信開始から送出終了通知を受信するまでに要した時間と、受信した第２の信号の情報量とに基づき伝送速度を算出する信号処理部と
を備えた無線通信端末。
【請求項２】
待機状態において第１の信号を無線基地局へ送信し、無線通信路により無線基地局と接続された場合に予想される伝送速度を算出するための、第１の信号に応じた情報量分又は無線基地局により設定された情報量分のひとつ又は複数の第２の信号の送信を要求するための送信部と、
第１の信号に応じて無線基地局から送信されるひとつ又は複数の第２の信号を受信するための受信部と、
前記受信部による第２の信号の受信開始から予め設定された時間経過した場合、該予め設定された時間の経過までに受信した第２の信号の情報量と、予め設定された時間とに基づき伝送速度を算出する信号処理部と
を備えた無線通信端末。
【請求項３】
前記第２の信号は、Ｎｕｌｌデータ又は課金対象外として予め定められたデータであることを特徴とする請求項１又は２に記載の無線通信端末。
【請求項４】
前記信号処理部は、
前記受信部により受信された信号又はデータが、第２の信号か否かを判別する判別部と、
前記判別部により判別された第２の信号の情報量をカウントするカウント部と、
第２の信号の受信開始から、前記カウント部によりカウントされる情報量が予め設定された情報量に達するまでの時間、又は、第２の信号の受信開始から、前記受信部により第２の信号の送出終了通知が受信されるまでの時間のいずれかを計測するタイマ部と、
前記カウント部によりカウントされた情報量と、前記タイマ部により計測された時間とに基づき、伝送速度を算出するスループット算出部と、
を有することを特徴とする請求項１に記載の無線通信端末。
【請求項５】
前記信号処理部は、
前記受信部により受信された信号又はデータが、第２の信号か否かを判別する判別部と、
前記判別部により判別された第２の信号の情報量をカウントするカウント部と、
第２の信号の受信開始からの時間を計測するタイマ部と、
前記タイマ部により計測された時間が、予め設定された時間を示す場合に、前記カウント部によりカウントされた情報量と、予め設定された時間又は前記タイマ部により計測された時間とに基づき、伝送速度を算出するスループット算出部と、
を有することを特徴とする請求項２に記載の無線通信端末。
【請求項６】
前記信号処理部により算出された伝送速度に基づく値、画像、基地局情報、エリア情報及び通信事業者情報のいずれか又は複数を表示する表示部
をさらに備えた請求項１又は２に記載の無線通信端末。
【請求項７】
通信データを格納するデータエリアが時分割された複数のスロットで構成され、スロット毎に各無線通信端末宛てのデータ又は信号をそれぞれ割り当てて、無線基地局から無線通信端末へのデータ又は信号を送信する無線通信システムにおいて、待機状態の前記無線通信端末が、無線通信路により前記無線基地局と接続された場合に予想される伝送速度を算出するための前記無線基地局であって、
第１の信号を前記無線通信端末から受信し、無線通信路により前記無線通信端末と接続された場合に予想される伝送速度を算出するための第２の信号の送信が、前記無線通信端末からの第１の信号により要求されるための受信部と、
前記受信部により第１の信号が受信された場合、第１の信号に応じた情報量分又は予め設定された情報量分の第２の信号を生成し、生成された第２の信号を、空スロットがある場合には空スロットに挿入し、一方、空スロットがない場合はスロットに割り込ませて、前記無線通信端末へ送信させる信号処理部と、
前記信号処理部により生成されたひとつ又は複数の第２の信号を、前記無線通信端末へ送信するための送信部と、
を備えた前記無線基地局。
【請求項８】
前記信号処理部は、
前記受信部により受信された信号が、第１の信号か否かを判定する信号判定部と、
前記信号判定部により、第１の信号と判定された場合に、第１の信号に応じた情報量分又は予め設定された情報量分の第２の信号を生成するデータ生成部と、
第１の信号を受信した第１の無線通信端末と、自無線基地局との間で通信中の第２の無線通信端末とについて、各スロットに第１及び第２の無線通信端末宛てのデータ又は第２の信号を割り当てるパケットスケジューリングを行い、スケジューリング結果を参照して、空スロットがある場合は、前記データ生成部により生成された第２の信号をさらに空スロットに挿入し、一方、空スロットがない場合は、第２の信号をスロットにさらに割り込ませて、前記第１の無線通信端末に送信させるためのスケジューリング部と
を有し、
前記送信部は、前記スケジューリング部の指示に従い、第２の信号を前記第１の無線通信端末へ送信することを特徴とする請求項７に記載の無線基地局。
【請求項９】
前記信号処理部は、
第２の信号の送信中において、自無線基地局との間で通信中の第２の無線通信端末の数、及び／又は、該第２の無線通信端末の電波状況に基づいて、自無線基地局が管理するセクタ内が予め定められた状態よりも混雑しているか判断し、
混雑していると判断された場合に、生成された第２の信号の情報量を変更し、
変更された情報量の第２の信号を所定のスロットに割り当てて送信させ、
変更された情報量の第２の信号の送信が終了した後に、第１の信号を受信した第１の無線通信端末へ送出終了通知を送信すること
を含む請求項７に記載の無線基地局。
【請求項１０】
通信データを格納するデータエリアが時分割された複数のスロットで構成され、スロット毎に各無線通信端末宛てのデータ又は信号をそれぞれ割り当てて、無線基地局から無線通信端末へのデータ又は信号を送信する無線通信システムにおいて、待機状態の前記無線通信端末が、無線通信路により前記無線基地局と接続された場合に予想される伝送速度を算出するための前記無線通信システムであって、
前記無線通信端末は、
待機状態において第１の信号を前記無線基地局へ送信し、無線通信路により前記無線基地局と接続された場合に予想される伝送速度を算出するための、第１の信号に応じた情報量分又は前記無線基地局により設定された情報量分のひとつ又は複数の第２の信号の送信を要求するための第１の送信部と、
第１の信号に応じて前記無線基地局から送信されるひとつ又は複数の第２の信号を受信するための第１の受信部と、
前記第１の受信部によりひとつ又は複数の第２の信号が、第１の信号に応じた情報量分受信された場合に、第２の信号の受信開始から該情報量に達するまでに要した時間と、受信した第２の信号の情報量とに基づき伝送速度を算出する、又は、前記第１の受信部により第２の信号の送出終了通知が前記無線基地局から受信された場合に、第２の信号の受信開始から送出終了通知を受信するまでに要した時間と、受信した第２の信号の情報量とに基づき伝送速度を算出する第１の信号処理部と、
を備え、
前記無線基地局は、
第１の信号を前記無線通信端末から受信し、第２の信号の送信が前記無線通信端末からの第１の信号により要求されるための第２の受信部と、
前記第２の受信部により第１の信号が受信された場合、第１の信号に応じた情報量分又は予め設定された情報量分の第２の信号を生成し、生成された第２の信号を、空スロットがある場合には空スロットに挿入し、一方、空スロットがない場合はスロットに割り込ませて、前記無線通信端末へ送信させる第２の信号処理部と、
前記第２の信号処理部により生成されたひとつ又は複数の第２の信号を、前記無線通信端末へ送信するための第２の送信部と、
を備えた前記無線通信システム。
【請求項１１】
通信データを格納するデータエリアが時分割された複数のスロットで構成され、スロット毎に各無線通信端末宛てのデータ又は信号をそれぞれ割り当てて、無線基地局から無線通信端末へのデータ又は信号を送信する無線通信システムにおいて、待機状態の前記無線通信端末が、無線通信路により前記無線基地局と接続された場合に予想される伝送速度を算出するための前記無線通信システムであって、
前記無線通信端末は、
待機状態において第１の信号を前記無線基地局へ送信し、無線通信路により前記無線基地局と接続された場合に予想される伝送速度を算出するための、第１の信号に応じた情報量分又は前記無線基地局により設定された情報量分のひとつ又は複数の第２の信号の送信を要求するための第１の送信部と、
第１の信号に応じて前記無線基地局から送信されるひとつ又は複数の第２の信号を受信するための第１の受信部と、
前記第１の受信部による第２の信号の受信開始から予め設定された時間経過した場合、該予め設定された時間の経過までに受信した第２の信号の情報量と、予め設定された時間とに基づき伝送速度を算出する第１の信号処理部と、
を備え、
前記無線基地局は、
第１の信号を前記無線通信端末から受信し、第２の信号の送信が前記無線通信端末からの第１の信号により要求されるための第２の受信部と、
前記第２の受信部により第１の信号が受信された場合、第１の信号に応じた情報量分又は予め設定された情報量分の第２の信号を生成し、生成された第２の信号を、空スロットがある場合には空スロットに挿入し、一方、空スロットがない場合はスロットに割り込ませて、前記無線通信端末へ送信させる第２の信号処理部と、
前記第２の信号処理部により生成されたひとつ又は複数の第２の信号を、前記無線通信端末へ送信するための第２の送信部と、
を備えた前記無線通信システム。
【発明の詳細な説明】
【技術分野】
【０００１】
本発明は、無線通信端末、無線基地局及び無線通信システムに係り、特に、移動体無線通信における無線通信端末、無線基地局及び無線通信システムに関する。
【背景技術】
【０００２】
従来の有線通信網に加え、無線通信端末と無線基地局を用いた無線通信網の導入が急速に進められている。最近では、音声等の情報を拡散符号で符号多重化して通信を行うＣＤＭＡ（Ｃｏｄｅ  Ｄｉｖｉｓｉｏｎ  Ｍｕｌｔｉｐｌｅ  Ａｃｃｅｓｓ）通信網が普及し高速な通信が可能となってきた。
【０００３】
３ＧＧＰ２で規定するＥＶ−ＤＯ（Ｅｖｏｌｕｔｉｏｎ  Ｄａｔａ  Ｏｎｌｙ）方式（３ＧＰＰ２  Ｃ．Ｓ００２４  ＨＲＰＤ  Ａｉｒ−Ｉｎｔｅｒｆａｃｅ）のパケットデータ移動通信システムにおいては、ユーザが通信接続を開始するときの電波状況からユーザの無線通信端末で通信可能な下り方向通信レート（速度）を予測し、無線基地局に対して要求しデータ通信を開始する。
【０００４】
しかし、上記無線通信網においては、無線通信端末が、セクタと呼ばれる無線基地局が無線通信端末と通信できる電波の到達範囲の中に複数存在していることから、いくら無線通信端末で、無線基地局より受信するパイロット信号のレベルより算出した要求伝送レートは判っても、実際には、無線基地局で決定される伝送レートでしか通信を行うことができないため、正確なデータレートがわかるのは、課金対象のデータ通信がなされてからとなっている。
【０００５】
これは、通信を始めたい無線通信端末以外に無線基地局配下にいる他の無線通信端末より通知される要求伝送レートの状況から各ユーザに下りデータリンク回線（または、フォワードリンク、基地局から端末への通信方向）のスロットを割り当てることによるものである。
【０００６】
従って、無線端末装置の稼動状況から無線基地局がデータレート値を推測し、無線通信端末に送信するのみであり、通信開始前に無線通信端末がデータレートを算出および表示するような通信回線の状態を容易に確認する技術が求められてきている。
【０００７】
また、ユーザがデータ通信をする前に事前にデータレートを無線基地局から通知する技術が開示されている（例えば、特許文献１参照）。これは、例えば基地局側での推測レート情報を端末のページングチャネルに送信するというものである。更に、端末の移動情報から基地局にてデータレートの推測をして端末へ通知する技術が開示されている（例えば、特許文献２参照）。
【特許文献１】特開平１１−３３１９４３号公報
【特許文献２】特開２００２−３５３８７６号公報
【発明の開示】
【発明が解決しようとする課題】
【０００８】
各無線端末のスループット（例えば、伝送速度、通信速度）は無線端末の電波環境のみならず、無線基地局配下の無線通信端末の数とこれら無線通信端末の電波環境によって決まる。ユーザは単純に無線通信端末で受信するパイロット信号の強度や要求伝送レートから無線端末のスループットを正確に予測するのは困難であった。
【０００９】
また、特許文献１および特許文献２に開示された通信開始前に予測されるデータレートを表示する技術では、実際のレート計測を実施しておらず、端末への通知レートは基地局側の情報を基にした推測値である。
【００１０】
ＥＶ−ＤＯ方式のパケットデータ移動通信システムに代表されるベストエフォート型の時分割多方式を採用したパケットによる移動体通信システムでは、１つのスロットに対して時分割で１ユーザ（または端末）のデータが割り当てられる。このスロットの割り当て方法は、無線通信端末から送信されるフォワードリンクの要求伝送レートを基に無線基地局のスループットが最適化されるように行われる。つまり、ＥＶ−ＤＯ方式のようなベストエフォート型のデータ通信方式では、前述の電波環境の表示や基地局からの推測レート値が入手できたとしても、現在の利用者数、利用可能待機端末のアクセスにより、現在および次の瞬間のスループットは変わってくる。端末の電波状況による無線基地局へのデータレート要求は出せても実際のレートの算出はできず、必ずしも利用者にとって使いやすいものではない場合があった。
【００１１】
本発明は、以上の点に鑑みてなされたもので、無線通信網において実際のスループットを算出するためには何らかのデータを無線基地局から無線通信端末へ送信させ、通信開始前に実際の算出スループットの提示をユーザに対して行うことを目的とする。また、本発明は、ＥＶ−ＤＯに代表されるベストエフォート型データ通信方式において、無線端末利用者による通信の前における無線データレートの測定を可能とすることを目的とする。また、本発明は、データ通信の効率的運用を促進することを目的とする。さらに、本発明は、Ｎｕｌｌパケットデータを用いることで、端末利用者は正規データ通信（課金対象通信）の範囲外で無線レートを確認可能にすることを目的とする。
【課題を解決するための手段】
【００１２】
ベストエフォート方式の移動体通信システムにおいて、端末側の無線レート表示の要求が基地局に行われたときに、基地局から移動局端末への無線レート値を算出するためのＮｕｌｌパケットデータ提供と、端末に於いてデータレート算出とレート値の表示を行う。
【００１３】
移動局端末は、常に電波状況（Ｃ／Ｉ値）を計測し端末に電波レベルの表示を行えるが、無線レートに関しては、同セクタ内の他端末の通信状況および台数を考慮したうえで、何らかのデータを基地局から送信することが好ましい。一方、実際にデータ通信を行えばデータ通信料金が発生するとともにトラフィックを増大させる要因になるため、常時実際のデータ通信を行うことは必ずしも効果的ではない場合がある。
【００１４】
移動局端末の使用者が、データ通信を始めるにあたって現在の無線レート（スループット）を算出したい場合に、端末から基地局へレート確認要求を発信し、それを受けた基地局は、例えば空スロットを用いてＮｕｌｌパケットデータを端末ヘ送信し、セクタの使用状況を考慮したＮｕｌｌデータパケットが端末へ送られ、端末側でデスループットを算出する。移動局端末側では、無線レート値のユーザへの提供と表示を電波状況表示とは違う形で数値、図形またはその組み合わせで表示する。
【００１５】
本発明における無線端末装置のひとつは、待機状態において、無線基地局へ所定信号を送出する信号送出手段と、無線基地局から送出される所定信号を受信する受信手段と、前記受信手段が、前記所定信号を予め設定された情報量分受信した場合、該受信量に達するまでに要した時間にもとづき、通信した場合に予想される伝送速度を算出する信号処理手段と、前記信号処理手段により算出した伝送速度を表示する表示手段とを備えたことを特徴のひとつとする。
【００１６】
また、本発明における他の無線端末装置は、待機状態において、無線基地局へ所定信号を送出する信号送出手段と、無線基地局から送出される所定信号を受信する受信手段と、前記受信手段が、前記所定信号を受信したときから予め設定された時間に達した場合、該時間までに受信した前記所定信号の情報量にもとづき、通信した場合に予想される伝送速度を算出する信号処理手段と、前記信号処理手段により算出した伝送速度を表示する表示手段とを備えたことを特徴のひとつとする。
【００１７】
本発明における無線基地局は、無線通信端末より第１の所定信号を受信する信号受信手段と、前記信号受信手段が、前記第１の所定信号を受信した場合、第２の所定信号生成を行う信号処理手段と、前記信号処理手段が生成した第２の所定信号を前記無線通信端末へ送出するデータ送信手段とを備えたことを特徴のひとつとする。
【００１８】
本発明の第１の解決手段によると、
待機状態において第１の信号を無線基地局へ送信し、無線通信路により無線基地局と接続された場合に予想される伝送速度を算出するための、第１の信号に応じた情報量分又は無線基地局により設定された情報量分のひとつ又は複数の第２の信号の送信を要求するための送信部と、
第１の信号に応じて無線基地局から送信されるひとつ又は複数の第２の信号を受信するための受信部と、
前記受信部によりひとつ又は複数の第２の信号が、第１の信号に応じた情報量分受信された場合に、第２の信号の受信開始から該情報量に達するまでに要した時間と、受信した第２の信号の情報量とに基づき伝送速度を算出する、又は、前記受信部により第２の信号の送出終了通知が無線基地局から受信された場合に、第２の信号の受信開始から送出終了通知を受信するまでに要した時間と、受信した第２の信号の情報量とに基づき伝送速度を算出する信号処理部と
を備えた無線通信端末が提供される。
【００１９】
本発明の第２の解決手段によると、
待機状態において第１の信号を無線基地局へ送信し、無線通信路により無線基地局と接続された場合に予想される伝送速度を算出するための、第１の信号に応じた情報量分又は無線基地局により設定された情報量分のひとつ又は複数の第２の信号の送信を要求するための送信部と、
第１の信号に応じて無線基地局から送信されるひとつ又は複数の第２の信号を受信するための受信部と、
前記受信部による第２の信号の受信開始から予め設定された時間経過した場合、該予め設定された時間の経過までに受信した第２の信号の情報量と、予め設定された時間とに基づき伝送速度を算出する信号処理部と
を備えた無線通信端末が提供される。
【００２０】
本発明の第３の解決手段によると、
通信データを格納するデータエリアが時分割された複数のスロットで構成され、スロット毎に各無線通信端末宛てのデータ又は信号をそれぞれ割り当てて、無線基地局から無線通信端末へのデータ又は信号を送信する無線通信システムにおいて、待機状態の前記無線通信端末が、無線通信路により前記無線基地局と接続された場合に予想される伝送速度を算出するための前記無線基地局であって、
第１の信号を前記無線通信端末から受信し、無線通信路により前記無線通信端末と接続された場合に予想される伝送速度を算出するための第２の信号の送信が、前記無線通信端末からの第１の信号により要求されるための受信部と、
前記受信部により第１の信号が受信された場合、第１の信号に応じた情報量分又は予め設定された情報量分の第２の信号を生成し、生成された第２の信号を、空スロットがある場合には空スロットに挿入し、一方、空スロットがない場合はスロットに割り込ませて、前記無線通信端末へ送信させる信号処理部と、
前記信号処理部により生成されたひとつ又は複数の第２の信号を、前記無線通信端末へ送信するための送信部と、
を備えた前記無線基地局が提供される。
【００２１】
本発明の第４の解決手段によると、
通信データを格納するデータエリアが時分割された複数のスロットで構成され、スロット毎に各無線通信端末宛てのデータ又は信号をそれぞれ割り当てて、無線基地局から無線通信端末へのデータ又は信号を送信する無線通信システムにおいて、待機状態の前記無線通信端末が、無線通信路により前記無線基地局と接続された場合に予想される伝送速度を算出するための前記無線通信システムであって、
前記無線通信端末は、
待機状態において第１の信号を前記無線基地局へ送信し、無線通信路により前記無線基地局と接続された場合に予想される伝送速度を算出するための、第１の信号に応じた情報量分又は前記無線基地局により設定された情報量分のひとつ又は複数の第２の信号の送信を要求するための第１の送信部と、
第１の信号に応じて前記無線基地局から送信されるひとつ又は複数の第２の信号を受信するための第１の受信部と、
前記第１の受信部によりひとつ又は複数の第２の信号が、第１の信号に応じた情報量分受信された場合に、第２の信号の受信開始から該情報量に達するまでに要した時間と、受信した第２の信号の情報量とに基づき伝送速度を算出する、又は、前記第１の受信部により第２の信号の送出終了通知が前記無線基地局から受信された場合に、第２の信号の受信開始から送出終了通知を受信するまでに要した時間と、受信した第２の信号の情報量とに基づき伝送速度を算出する第１の信号処理部と、
を備え、
前記無線基地局は、
第１の信号を前記無線通信端末から受信し、第２の信号の送信が前記無線通信端末からの第１の信号により要求されるための第２の受信部と、
前記第２の受信部により第１の信号が受信された場合、第１の信号に応じた情報量分又は予め設定された情報量分の第２の信号を生成し、生成された第２の信号を、空スロットがある場合には空スロットに挿入し、一方、空スロットがない場合はスロットに割り込ませて、前記無線通信端末へ送信させる第２の信号処理部と、
前記第２の信号処理部により生成されたひとつ又は複数の第２の信号を、前記無線通信端末へ送信するための第２の送信部と、
を備えた前記無線通信システムが提供される。
【００２２】
本発明の第５の解決手段によると、
通信データを格納するデータエリアが時分割された複数のスロットで構成され、スロット毎に各無線通信端末宛てのデータ又は信号をそれぞれ割り当てて、無線基地局から無線通信端末へのデータ又は信号を送信する無線通信システムにおいて、待機状態の前記無線通信端末が、無線通信路により前記無線基地局と接続された場合に予想される伝送速度を算出するための前記無線通信システムであって、
前記無線通信端末は、
待機状態において第１の信号を前記無線基地局へ送信し、無線通信路により前記無線基地局と接続された場合に予想される伝送速度を算出するための、第１の信号に応じた情報量分又は前記無線基地局により設定された情報量分のひとつ又は複数の第２の信号の送信を要求するための第１の送信部と、
第１の信号に応じて前記無線基地局から送信されるひとつ又は複数の第２の信号を受信するための第１の受信部と、
前記第１の受信部による第２の信号の受信開始から予め設定された時間経過した場合、該予め設定された時間の経過までに受信した第２の信号の情報量と、予め設定された時間とに基づき伝送速度を算出する第１の信号処理部と、
を備え、
前記無線基地局は、
第１の信号を前記無線通信端末から受信し、第２の信号の送信が前記無線通信端末からの第１の信号により要求されるための第２の受信部と、
前記第２の受信部により第１の信号が受信された場合、第１の信号に応じた情報量分又は予め設定された情報量分の第２の信号を生成し、生成された第２の信号を、空スロットがある場合には空スロットに挿入し、一方、空スロットがない場合はスロットに割り込ませて、前記無線通信端末へ送信させる第２の信号処理部と、
前記第２の信号処理部により生成されたひとつ又は複数の第２の信号を、前記無線通信端末へ送信するための第２の送信部と、
を備えた前記無線通信システムが提供される。
【発明の効果】
【００２３】
本発明によると、無線通信網において実際のスループットを算出するためには何らかのデータを無線基地局から無線通信端末へ送信させ、通信開始前に実際の算出スループットの提示をユーザに対して行うことができる。また、本発明によると、ＥＶ−ＤＯに代表されるベストエフォート型データ通信方式において、無線端末利用者による通信の前における無線データレートの測定を可能とすることができる。また、本発明によると、データ通信の効率的運用を促進することができる。さらに、本発明によると、Ｎｕｌｌパケットデータを用いることで、端末利用者は正規データ通信（課金対象通信）の範囲外で無線レートを確認可能にすることができる。
【発明を実施するための最良の形態】
【００２４】
図１は、本実施の形態を適用する移動体無線通信システムの構成例である。無線通信システムは、以下のように構成されデータ通信を行う。なお、移動体通信に限らず、適宜の無線通信システムを用いることができる。
【００２５】
無線通信システムは、無線通信端末（以下ＡＴ（Ａｃｃｅｓｓ  Ｔｅｒｍｉｎａｌ）と称す）（１００）と、無線基地局（以下ＡＰ（Ａｃｃｅｓｓ  Ｐｏｉｎｔ）と称す）（３００）と、基地局制御部（以下ＢＳＣ（Ｂａｓｅ  Ｓｔａｔｉｏｎ  Ｃｏｎｔｒｏｌｌｅｒ）と称す）（４００）とを備える。
【００２６】
無線通信端末ＡＴ（１００）は、無線基地局ＡＰ（３００）との間で無線による通信路を確立する。各ＡＰ（３００）が管理する無線エリアをセクタ（２００）と呼び、それぞれのセクタ内では複数のＡＴ（１００）がＡＰ（３００）に接続可能である。セクタ（２００）はハンドオーバを可能とするため図１に示すセクタ２００−１とセクタ２００−２のように隣接するセクタ同士で重複している。
【００２７】
また、各々のＡＰ（３００）は有線接続により基地局制御部ＢＳＣ（４００）に接続される。ＢＳＣ（４００）には、複数のＡＰ（３００）が接続可能であり、ＢＳＣ（４００）は有線接続によりＩｎｔｅｒｎｅｔや公衆通信網などの適宜のＮｅｔｗｏｒｋ（５００）に接続されている。
【００２８】
上述の通りＡＴ（１００）とＡＰ（３００）との間は、無線通信路により接続されており、この無線通信路を介してパケット（１０００）が、例えば、ＡＰ（３００）からＡＴ（１００）に届けられる。
【００２９】
パケット（１０００）は、ＡＰ（３００）の状態と、ＡＴ（１００）がＡＰ（３００）に接続するのに必要な各種情報とを含む報知情報（１０５０）、および、実際にユーザが取り扱っている通信データ（以下トラフィックデータと称す）（１１００）を含む。
【００３０】
ＡＴ（１００）が、データ通信を行う場合、まずＡＰ（３００）との無線通信路を確立し接続する。ＡＴ（１００）からの接続要求を受けたＡＰ（３００）はＢＳＣ（４００）との通信路を確立した後に、ＡＴ（１００）に無線リソースを割当て、無線通信路を確立する。
【００３１】
無線通信路を確立し、データ通信が可能となったＡＴ（１００）は、自らのおかれた環境下でデータを受信できる最大の伝送速度を算出し、ＡＰ（３００）に要求する。例えば、ＡＴ（１００）は、Ｃ／Ｉ（Ｃａｒｒｉｅｒ  ｔｏ  Ｉｎｔｅｒｆｅｒｅｎｃｅ  Ｐｏｗｅｒ  Ｒａｔｉｏ）値に応じた伝送速度を要求する。ＡＰ（３００）はＡＴ（１００）から要求された伝送速度に応じた速度でデータを送信している。
【００３２】
報知情報（１０５０）およびトラフィックデータ（１１００）は、共に時分割された単位であるスロットが複数集まったものであり、それぞれのスロットにはパイロット信号（１２００）が搭載されている。
【００３３】
また、トラフィックデータエリア（１１００）は、ユーザの通信データを格納するエリアであり、スロット毎に異なるユーザ宛のデータを格納している。なお、格納するユーザの通信データが存在しない場合は、スロットが空きの状態であり、本実施の形態において、「空きスロット」と呼ぶ。
【００３４】
図２に、パケット（１０００）の構成例を示す。
パケット（１０００）は、報知情報エリア（１０５０）およびトラフィックデータエリア（１１００）に分かれている。報知情報エリア（１０５０）およびトラフィックデータエリア（１１００）はそれぞれ時分割されておりスロットと呼ばれる単位で構成される。１スロットは、例えば１／６００ｓ（＝約１．６７ｍｓ）である。
【００３５】
例えば、報知情報エリア（１０５０）は８スロット（もしくは１６スロット）、トラフィックデータエリア（１１００）は２４８スロット（もしくは２４０スロット）からなり、これらを合計した２５６スロット（＝約４２６．６７ｍｓ）が１つの周期として連続して送受信されている。この２５６スロットで構成されるひと塊を本実施の形態ではパケット（１０００）と呼ぶ。
【００３６】
それぞれのスロットはハーフスロットが２つ組み合わされており、各ハーフスロットの中心にパイロット信号（１２００）が格納されている。パイロット信号（１２００）は、ＡＴ（１００）における受信電力を示しており、ＡＰ（３００）からの信号電力と他受信電力（または干渉雑音電力）との比であるＣ／Ｉ値を求めるために使用される。
【００３７】
報知情報データ（１０６０）には、ＡＰ（３００）に接続されているユーザ数やその他の無線情報が格納されている。また、トラフィックデータエリア（１１００）には、各ユーザ宛のデータが含まれており、どのスロットにどのユーザ宛のデータを格納するかはＡＰ（３００）が決定している。このとき、スロット毎に各ユーザデータが割り当てられる。どのユーザにも割り当てられなかったスロットは空きスロット（１１００−３）となり、トラフィックデータは含まれない状態となる。
【００３８】
なお、各スロットに格納されたデータはＡＰ（３００）によって符号化されたデータであり、符合化した際に用いたキーで逆符合化しなければ正しいデータとして判別できない。ＡＰ（３００）がデータを符号化するキーは、ＡＴ（１００）がＡＰ（３００）との無線通信路を確立する際に無線リソースのひとつとしてＡＴ（１００）にも通知しており、これを使用しＡＴ（１００）はデータを逆符合化する。
【００３９】
図２の場合、図１のケースとしてＡＰ１（３００−１）のセクタ内で通信しているＡＴをＡＴ１（１００−１）およびＡＴ２（１００−２）としているので、トラフィックデータエリアには、ＡＴ１用トラフィックデータエリア（１１００−１）、ＡＴ２用トラフィックデータエリア（１１００−２）および空きデータエリア（１１００−３）が割り当てられていることになる。
【００４０】
図３は、ＡＴ（１００）のブロック図である。ＡＴ（１００）は、アンテナ（１７０）と、送受信部（１１０）と、信号処理部（１２０）と、Ｉ／Ｏ制御部（１３０）と、周辺装置部（１４０）と、ＣＰＵ（１５０）と、ＭＭ（メモリ）（１６０）とを備える。また、ＡＴ（１００）の各部は、例えばバス（１８０）を介して接続されている。ＡＴ（１００）は、ＡＰ（３００）との間で無線通信路によりデータ通信を行う。
【００４１】
周辺装置部（１４０）は、例えば、データや指示を入力するためのボタンから構成される入力部（１４０−１）と、データを閲覧したり電波強度等を表示したりするＬＣＤやＬＥＤ等を有する表示部（１４０−２）と、スピーカ（１４０−３）とを備えている。なお、入力部（１４０−１）には、ボタン以外にもまたはボタンとともに、必要に応じてタッチパネルやマウスポインタ、マイク入力等の適宜の入力手段を備えてもよい。表示部（１４０−２）は、信号処理部（１２０）により算出されたスループットに基づく値、画像、基地局情報、エリア情報及び通信事業者情報のいずれか又は複数を表示することができる。
【００４２】
送受信部（１１０）は、例えば、送信部（１１０−２）と、受信部（１１０−１）とを有する。送受信部（１１０）の送信部（１１０−２）は、受信している電波状態（例えばＣ／Ｉ値）から算出した要求伝送速度（例えばＤＲＣ）をアンテナ（１７０）を介してＡＰ（３００）に対して送信する。また、送信部（１１０−２）は、待機状態において、例えば操作者からの指示入力に従い、伝送速度を算出するためのＮｕｌｌデータ（第２の信号）の送信を要求する信号（第１の信号）をＡＰ（３００）へ送信する。
【００４３】
送受信部（１１０）の受信部（１１０−１）は、ＡＰ（３００）からの報知情報（１０５０）およびトラフィックデータ（１１００）をアンテナ（１７０）を経由して受信する。また、受信部（１１０−１）は、ＡＰ（３００）から送出される伝送速度を算出するためのＮｕｌｌデータを受信する。また、送受信部（１１０）は、ＡＰ（３００）との間で通信を行う為のＰｈａｓｅ  Ｓｈｉｆｔ  Ｋｅｙｉｎｇ（ＰＳＫ）方式等の変復調処理を行う。
【００４４】
信号処理部（１２０）は、スループット（例えば、伝送速度）算出用のＮｕｌｌデータ等ダミーデータの受信を判定するＮｕｌｌデータ判定部（１２０−１）と、Ｎｕｌｌデータを基にスループット算出を行うスループット算出部（１２０−２）と、スループット算出部（１２０−２）において算出されたスループットを表示部（１４０−２）へ表示するよう指示を与えるスループット表示要求部（１２０−３）と、ＤＲＣテーブル（１２０−４）とを有する。なお、本実施の形態においては、Ｎｕｌｌデータを用いる以外にも、課金対象外として予め定めらたて適宜のデータを用いることができる。
【００４５】
信号処理部（１２０）は、アンテナ（１７０）を経由して送受信部（１１０）が受信した報知情報（１０５０）およびトラフィックデータ（１１００）を受け予想スループットを算出する。なお、本実施の形態において、「予想スループット」とは、待機状態においてＮｕｌｌデータを受信して算出される実測値であり、実際に通常のデータ通信を行う場合に予想されるスループットである。
【００４６】
スループット算出部（１２０−２）は、受信したＮｕｌｌデータの受信量を計測するＮｕｌｌデータカウント部（１２０−２１）と、Ｎｕｌｌデータを受信している時間を計測するタイマ部（１２０−２２）とを有する。なお、Ｎｕｌｌデータカウント部（１２０−２１）、タイマ部（１２０−２２）は、スループット算出部（１２０−２）内に備えられる以外にも、別個独立に備えられ、スループット算出部（１２０−２）がＮｕｌｌデータカウント部（１２０−２１）およびタイマ部（１２０−２２）からデータ量と時間とを入力してスループットを算出するようにしてもよい。また、設定されたデータサイズのＮｕｌｌパケットが送信され、送信終了後に終了通知がＡＰ（３００）から送信される場合には、Ｎｕｌｌデータカウント部（１２０−２１）を省略して、設定されたデータサイズと、タイマ部（１２０−２２）により計測された受信時間とを用いてスループットを算出するようにしてもよい。
【００４７】
予想スループット算出に係るデータおよびデータ通信機能を実現させるプログラム等は、記憶装置であるＭＭ（１６０）に格納されている。また、ＭＭ（１６０）は、処理を行う際のワークエリアも兼ねている。
【００４８】
Ｎｕｌｌデータ判定部（１２０−１）は、受信手段により受信されたデータが、Ｎｕｌｌデータか否かを判別する。Ｎｕｌｌデータカウント部（１２０−２１）は、Ｎｕｌｌデータ判定部（１２０−１）がＮｕｌｌデータを判別した場合に、Ｎｕｌｌデータの情報量をカウントする。タイマ部（１２０−２２）は、Ｎｕｌｌデータカウント部がデータのカウントを開始してからの時間を計測する。タイマ部（１２０−２２）では、例えば、Ｎｕｌｌデータの受信開始から、Ｎｕｌｌデータカウント部（１２０−２１）によりカウントされる情報量が予め設定された情報量に達するまでの時間、または、Ｎｕｌｌデータの受信開始から、Ｎｕｌｌデータの送出終了通知をＡＰ（３００）から受信するまでの時間が計測される。スループット算出部（１２０−２）は、Ｎｕｌｌデータカウント部（１２０−２１）によりカウントされたデータ量と、タイマ部により計測された時間とに基づき、伝送速度を算出する。
【００４９】
予想スループットの算出要求を行う場合、ＣＰＵ（１５０）が送受信部（１１０）、信号処理部（１２０）およびＭＭ（１６０）を制御して、ＡＰ（３００）に予想スループットの算出のためのＮｕｌｌデータ送出要求を送出する。また、自装置に予想スループットの表示を行う場合、スループット表示要求部（１２０−３）が、Ｉ／Ｏ制御部（１３０）を介して周辺装置部（１４０）内の表示部（１４０−２）に、算出された予想スループット値に対応した表示を行うよう指示する。なお、ＣＰＵ（１５０）は、ＡＴ（１００）全体の制御を行い、データ通信機能を実現している。
【００５０】
図１０に、ＤＲＣテーブル（１２０−４）の構成例を示す。ＤＲＣテーブル（１２０−４）は、データレートとＣ／Ｉ値が対応して記憶される。なお、ＤＲＣテーブル（１２０−４）は、信号処理部（１２０）に備えられる以外にも、ＭＭ（１６０）に備えられても良い。
【００５１】
図４は、ＡＰ（３００）のブロック図である。
ＡＰ（３００）は、アンテナ（３７０）と、送受信部（３１０）と、信号処理部（３２０）と、Ｉ／Ｏ制御部（３３０）と、周辺装置部（３４０）と、ＣＰＵ（３５０）と、Ｍ（３６０）とを有する。また、ＡＰ（３００）の各部は、例えばバス（３８０）で接続されている。ＡＰ（３００）は、ＡＴ（１００）との間で無線通信路を介してデータ通信を行う。
【００５２】
信号処理部（３２０）は、ＡＴ（１００）より送信される信号を送受信部（３１０）を介して受信し、その信号がＮｕｌｌ送出要求信号であるか否かの判定を行うＡＴ要求信号判定部（３２０−１）と、ＡＴ（１００）からのＤＲＣ要求に対してＤＲＣを決定するＤＲＣ決定部（３２０−２）と、ＡＴ（１００）より受信した信号がＮｕｌｌ送出要求信号であった場合に、所定量のＮｕｌｌデータの生成を行うＮｕｌｌデータ生成部（３２０−３）と、生成したＮｕｌｌデータおよび通常の通信データを所定のアルゴリズムに従い通信チャネルのタイムスロットへ格納させるよう、送受信部（３１０）へ指示を行うスケジューリング部（３２０−４）とを有する。
【００５３】
周辺装置部（３４０）は、例えば、初期設定値入力を行うための初期設定入力部（３４０−１）を有する。初期設定入力部（３４０−１）には必要に応じて入力パソコンおよびキーボードを備えてもよい。
【００５４】
送受信部（３１０）は、受信部（３１０−１）と、送信部（３１０−２）とを有する。受信部（３１０−１）は、ＡＴ（１００）からの報知情報（１０５０）およびトラフィックデータ（１１００）を、アンテナ（３７０）を経由して受信する。また、受信部（３１０−１）は、ＡＴ（１００）からの要求伝送速度およびＮｕｌｌ送出要求信号を受信する。
【００５５】
送信部（３１０−２）は、ＡＴ（１００）にＮｕｌｌデータを所定のスロットで送出する。送受信部（３１０）は、ＡＰ（１００）との間で通信を行う為のＰｈａｓｅ  Ｓｈｉｆｔ  Ｋｅｙｉｎｇ（ＰＳＫ）方式等の変復調処理を行う。
【００５６】
図５は、本実施の形態で、図１に示す構成例にＡＴ３（１００-３）が加わったときの移動体無線通信システムの構成例である。例えば、ＡＴ１およびＡＴ２がＡＰ１と通信している場合に、ＡＴ３が本実施の形態におけるスループット算出処理を行う場合のシステム構成例である。ここで、パケット（１０００-１）は、図１で示されるパケット（１０００）と同様のフレーム構成をしたものであり、ＡＴ３（１００-３）向けのＮｕｌｌデータは、空きデータエリア（１１０３）のひとつのスロットに挿入された場合を示している。
【００５７】
図６は、ＡＴ（１００）とＡＰ（３００）間におけるスループット算出の動作フロー例（１）である。本図は、ＮｕｌｌデータサイズをＡＴ（１００）側で固定値として設定する場合のフローを示す。
【００５８】
ＡＴ（１００）は、ＡＰ（３００）から送信されているパイロット信号波（２０００−３０）を受信し、主信号強度（Ｃ／Ｉ値）を算出（２０００−１）し、ＡＴ（１００）の表示部（１４０−２）に主信号強度を表示（２０００−２）する。
【００５９】
ＡＴ（１００）がスループット算出を実施するときには、例えば操作者からの指示入力に従い、Ｎｕｌｌデータサイズを予め定められたサイズに設定し（２０００−４）、特番発信（２０００−３）により、ＤＲＣ（データレート要求値、Ｄａｔａ  Ｒａｔｅ  Ｃｏｎｔｒｏｌ）とＮｕｌｌデータ送出要求（第１の信号）とをＡＰ（３００）へ送信する（２０００−３１）。ここで、ＡＴ（１００）は、ＤＲＣについてはＤＲＣテーブル（４０００−１４）を参照して、算出されたＣ／Ｉ値に対応するＤＲＣが選択し、選択されたＤＲＣを送信することができる。なお、送信されるＤＲＣは、具体的な数値（ｋｂｐｓ等）以外にも、ＤＲＣに対応する適宜の識別情報であってもよい。また、Ｎｕｌｌデータ送出要求は、設定されたデータサイズを含む。
【００６０】
ＡＰ（３００）は、ＤＲＣとＮｕｌｌデータ送出要求とを受信する。ＡＰ（３００）は、ＡＴ（１００）から受信したデータをＡＴ要求信号判別部（３２０−１）で監視している。ＡＰ（３００）のＡＴ要求信号判定部（３２０−１）により、受信したデータがＮｕｌｌデータ送出要求であると判別されると、ＤＲＣ決定部（３２０−２）は、ＤＲＣを決定（２０００−２０）する。例えば、ＤＲＣ決定部（３２０−２）は、ＤＲＣを、ＡＴ（１００）から受信したＤＲＣの値としてもよいし、受信した識別情報に対応するＤＲＣの値としてもよい。
【００６１】
なお、ＡＴ要求信号判別部（３２０−１）は、予め設定された特番発信であることにより、Ｎｕｌｌデータ送出要求であると判別することもできる。また、ＡＴ要求信号判別部（３２０−１）によりＮｕｌｌデータ送出要求でないと判別された場合には、例えば通常の通信要求または他のサービス要求として、適宜の処理を実行することができる。
【００６２】
Ｎｕｌｌデータ生成部（３２０−３）は、Ｎｕｌｌデータを、ＡＴ（１００）で設定され、ＡＰ（３００）で受信されたＮｕｌｌデータサイズ分生成する（２０００−２１）。なお、Ｎｕｌｌデータ生成部（３２０−３）は、生成されたＮｕｌｌデータを、適宜のファイル（Ｎｕｌｌデータファイル）に保持しても良い。
【００６３】
次に、スケジューリング部（３２０−４）は、パケットスケジューリング（２０００−２２）を行う。ここで、すべての下りデータ受信中端末がスケジューリングの対象となる。すなわち、ＡＰ（３００）と通信中の端末（第２の無線通信端末、例えば図５におけるＡＴ１、ＡＴ２）に加え、Ｎｕｌｌデータ送出要求が受信された端末（第１の無線通信端末、例えば図５におけるＡＴ３）についても、パケットスケジューリングが行われる。例えば、各スロットに、ＡＰ（３００）と通信中の端末及びＮｕｌｌデータ送出要求が受信された端末宛ての適宜のデータ又はＮｕｌｌデータを割り当てる。なお、本実施の形態において、「通信中」という場合は、Ｎｕｌｌデータ送出要求が受信された端末は含まない。また、Ｎｕｌｌデータ送出要求が受信された端末がいてもいなくても、スケジューラは、例えばＥＶ−ＤＯの一機能として働いている。パケットスケジューリングの一例については後述する。
【００６４】
スケジューリング部（３２０−４）は、スケジューリング結果を参照し、空きスロットの有無を判定する（２０００−２２−１）。スケジューリング部（３２０−４）は、空きスロットがある場合には（２０００−２２−１）、空きスロットへ生成されたＮｕｌｌデータをさらに挿入する（２０００−２２−２）。本実施の形態において、空スロットがあれば、Ｎｕｌｌデータ送出要求が受信された端末へのスケジューリング割り当ては、空きスロットを積極的に使用することができる。空きスロットがある場合でも、ＡＰ（３００）としては、一時的に通信ユーザが一人増えたときとほぼ同じ動作をするが、積極的に空きスロットを利用することができる。
【００６５】
一方、スケジューリング部（３２０−４）は、空きスロットがない場合には（２０００−２２−１）、生成されたＮｕｌｌデータをスロットへ割り込ませる（２０００−２２−３）。例えば、スケジューリング部（３２０−４）は、空スロットがなければ、Ｎｕｌｌデータ送出要求が受信された端末も、短時間ではあるが通常の通信端末増加と同等のスケジューリングを行い、一時的に１ユーザが増えたと同じ割り込みスケジューリングを行う。空きスロットがない場合でも、一時的に１ユーザが加わるというスケジューリングを行うことで、他ユーザ領域を削って（割り込み）一時的にＮｕｌｌデータをスロットに割り当てる。なお、この時も後述するスケジューリングの例は有効である。なお、割り込みについては、適宜の手法を用いてもよい。
【００６６】
図１２は、スロットが割り当てられたパケットの例を模式的に表した図（１）である。ここで、空スロットがある場合とない場合のスロットの割り当てについて説明する。なお、図示のパケットはトラフィックエリア（１１００）のみを示し、報知情報エリア（１０５０）は省略している。
【００６７】
上述の処理２０００−２２により、ＡＰ（３００）との間で通信中の端末（ＡＴ１、ＡＴ２）と、Ｎｕｌｌデータ送出要求が受信された端末（ＡＴ３）とにスロットが割り当てられ、例えば図１２のパケット１１１０またはパケット１１３０のようになる。パケット１１１０は空スロットがある場合の例（図１２（ａ））を示し、一方パケット１１３０は、空スロットがない場合の例（図１２（ｂ）））を示す。
【００６８】
空スロットがある場合（パケット１１１０の場合）、上述の処理２０００−２２−２により、空スロットに、Ｎｕｌｌデータ送出要求が受信された端末（ＡＴ３）宛てのＮｕｌｌデータが挿入され、パケット１１２０のようになる。
【００６９】
一方、空スロットがない場合（パケット１１３０の場合）、上述の処理２０００−２２−３により、Ｎｕｌｌデータ送出要求が受信された端末（ＡＴ３）宛てのＮｕｌｌデータが割り込まれ、パケット１１４０のようになる。
【００７０】
図６に戻り、次に、ＡＰ（３００）は、スロットに挿入されたＮｕｌｌデータを、送受信部（３１０）を介してＡＴ（１００）へ送出する（２０００−２３）。ＡＴ（１００）は、送受信部（１１０）を介してＡＰ（３００）からＮｕｌｌデータを受信する（２０００−５）。ＡＴ（１００）は、ＡＰ（３００）から受信したＮｕｌｌデータをＮｕｌｌデータ判定部（１２０−１）で監視している。ＡＰ（３００）から送られＡＴ（１００）が受信したデータが、Ｎｕｌｌデータ判定部（１２０−１）によりＮｕｌｌデータ（２０００−３２）であると判定されると、ＡＴ（１００）内のＮｕｌｌカウント部（１２０−２１）は、受信したＮｕｌｌデータのデータ量をカウントする。また、タイマ部（１２０−２２）は、Ｎｕｌｌデータの受信時間計測を始める（２０００−６）。なお、タイマ部（１２０−２２）は、最初にＮｕｌｌデータを受信した場合に受信時間計測を始める。受信したＮｕｌｌデータが最初に受信したＮｕｌｌデータでない場合、又は、タイマ部（１２０−２２）が既に受信時間の計測を始めている場合、タイマ部（１２０−２２）の処理は行わない。
【００７１】
ＡＴ（１００）により、Ｎｕｌｌデータ受信はＮｕｌｌデータファイルの受信完了まで繰り返される（２０００−５、６、７）。一方、ＡＰ（３００）でも、生成されたＮｕｌｌデータの送信が完了するまで送信を繰り返し（２０００−２３、２４）、Ｎｕｌｌデータの送出が終了（２０００−２５）した後、ＡＴ（１００）へＮｕｌｌデータ送出の終了通知を送出（２０００−３３）する。
【００７２】
ＡＴ（１００）は、終了通知（２０００−３３）を受けると、タイマ部（１２０−２２）による時間の計測を止め、スループット算出部（１２０−２）においてスループットを算出（２０００−８）する。スループットは、受信Ｎｕｌｌデータ量をＮｕｌｌデータ受信時間で割ることで算出される（２０００−８−１）。
スループット算出値＝受信Ｎｕｌｌデータ量／Ｎｕｌｌデータ受信時間
ここで、受信Ｎｕｌｌデータ量は、Ｎｕｌｌデータカウンタ部（１２０−２１）でカウントされた値を用いることができる。また、受信Ｎｕｌｌデータ量は、設定したデータサイズを用いてもよい。Ｎｕｌｌデータ受信時間は、タイマ部（１２０−２２）で計測された時間を用いることができる。
【００７３】
算出されたスループットは、スループット表示要求部（１２０−３）の指示によりＡＴ（１００）の表示部（１４０−２）に表示される（２０００−９）。また、信号処理部（１２０）は、算出されたスループットをＭＭ（１６０）に記憶しても良い。
【００７４】
なお、ＡＴ（１００）は、終了通知（２０００−３３）を受けてスループットを算出する以外にも、処理２０００−４で設定したデータサイズだけＮｕｌｌデータを受信した場合にスループットを算出するようにしてもよい。例えば、ＡＴ（１００）は、Ｎｕｌｌデータカウンタ部（１２０−２１）のカウント値が設定されたデータサイズに達した場合に、スループットを算出するようにしてもよい。
【００７５】
ＡＰ（３００）は、Ｎｕｌｌデータ送出終了後（２０００−２５）に本処理の動作を終了（２０００−２６）する。また、ＡＴ（１００）は、スループット表示（２０００−９）後に本処理の動作を終了する（２０００−１０）。なお、表示部（１４０−２）には、信号処理部（１２０）により算出されたスループットに基づく値、画像、基地局情報、エリア情報及び通信事業者情報のいずれか又は複数を表示することができる。
【００７６】
図７は、ＡＴ（１００）とＡＰ（３００）間におけるスループット算出の動作フロー例（２）である。本図は、ＮｕｌｌデータサイズをＡＴ（１００）側で固定値として設定せず、Ｎｕｌｌデータサイズを可変サイズとした場合のＡＴ（１００）とＡＰ（３００）間におけるスループット算出の動作フロー例を示す。
【００７７】
ＡＴ（１００）は、ＡＰ（３００）から送信されているパイロット信号波（３０００−３０）を受信し、主信号強度（Ｃ／Ｉ値）を算出（３０００−１）し、ＡＴ（１００）の表示部（１４０−２）に主信号強度を表示（３０００−２）する。
【００７８】
ＡＴ（１００）がスループット算出を実施するときには、例えば操作者からの指示入力に従い、特番発信により、ＤＲＣ（データレート要求値）とＮｕｌｌデータ送出要求（３０００−３１）をＡＰ（３００）へ送信する（３０００−３）。なお、ＤＲＣについては、上述の処理２０００−３および２０００−３１と同様である。
【００７９】
ＡＰ（３００）は、ＤＲＣとＮｕｌｌデータ送出要求（第１の信号）とを受信する。ＡＰ（３００）は、ＡＴ（１００）から受信したデータをＡＴ要求信号判別部（３２０−１）で監視している。ＡＰ（３００）のＡＴ要求信号判定部（３２０−１）により、受信したデータがＮｕｌｌデータ送出要求であると判別されると、ＤＲＣ決定部（３２０−２）はＤＲＣを決定（３０００−２０）する。
【００８０】
また、Ｎｕｌｌデータ生成部（３２０−３）は、予め定められたサイズのＮｕｌｌを生成する（３０００−２１）。なお、Ｎｕｌｌデータ生成部（３２０−３）は、生成されたＮｕｌｌデータを、適宜のファイル（Ｎｕｌｌデータファイル）に保持しても良い。
【００８１】
次に、スケジューリング部（３２０−４）は、パケットスケジューリング（３０００−２２）を行う。また、スケジューリング部（３２０−４）は、スケジューリング結果を参照し、空きスロットの有無を判定する（３０００−２２−１）。スケジューリング部（３２０−４）は、空きスロットがある場合には（３０００−２２−１）、空きスロットへ生成されたＮｕｌｌパケットをさらに挿入する（３０００−２２−２）。一方、スケジューリング部（３２０−４）は、空きスロットがない場合には（３０００−２２−１）、生成されたＮｕｌｌデータをスロットへ割り込ませる（３０００−２２−３）。なお、処理３０００−２２、３０００−２２−１〜３の詳細は、それぞれ上述の処理２０００−２２、２０００−２２−１〜３と同様であるので説明を省略する。
【００８２】
次に、ＡＰ（３００）は、スロットに挿入されたＮｕｌｌデータを、送受信部（３１０）を介してＡＴ（１００）へ送出する（３０００−２３）。ＡＴ（１００）は、送受信部（１１０）を介してＡＰ（３００）からＮｕｌｌデータを受信する。ＡＴ（１００）は、ＡＰ（３００）から受信したデータをＮｕｌｌデータ判定部（１２０−１）で監視している。ＡＰ（３００）から送られＡＴ（１００）が受信したデータがＮｕｌｌデータ判定部（１２０−１）によりＮｕｌｌデータ（３０００−３２）であると判定されると、ＡＴ（１００）内のＮｕｌｌデータカウント部（１２０−２１）は、受信したＮｕｌｌデータのデータ量をカウントする（３０００−５）。また、タイマ部（１２０−２２）は、Ｎｕｌｌデータの受信時間計測を始める（３０００−５）。Ｎｕｌｌデータ受信はＮｕｌｌデータファイルの受信完了まで繰り返される（３０００−４、５、６）。なお、タイマ部（１２０−２２）は、最初にＮｕｌｌデータを受信した場合に受信時間計測を始める。受信したＮｕｌｌデータが最初に受信したＮｕｌｌデータでない場合、又は、タイマ部（１２０−２２）が既に受信時間の計測を始めている場合、タイマ部（１２０−２２）の処理は行わない。
【００８３】
一方、ＡＰ（３００）でもＮｕｌｌデータ送信が完了するまで送信を繰り返す（３０００−２３、２４）。繰り返される際、例えば、ＡＰ（３００）の信号処理部（３２０）は、セクタ内（２００−１）の混雑状況を判断し（３０００−２５）、混雑が予め定められた規定値以内であればＮｕｌｌデータ送出を繰り返す（３０００−２３）。また、規定値以上の混雑と判断される場合には（３０００−２５）、例えば送出時間低減のため、Ｎｕｌｌデータサイズを変更（例えば減少または増加）して（３０００−２６）、処理３０００−２２に戻り、変更されたサイズのＮｕｌｌデータ送出を継続する（３０００−２２〜３０００−２４）。
【００８４】
一般に、Ｎｕｌｌデータの受信時間が長いほど、平均スループットとしての精度が上がるが、空きスロットが有り続けたとしても数ミリ秒〜数秒以内に終了することがある。そのため、ＤＲＣに見合ったＮｕｌｌデータ量にして計測時間（Ｎｕｌｌ送出時間）を制限することができる。
【００８５】
セクタ内混雑状況の判定（３０００−２５）としては、例えば、セクタ内の通信中ＡＴ数および通信中ＡＴの電波状況により判定されることができる。信号処理部（３２０）は、例えば、セクタ内で電波状態のよいＡＴが多く通信しているほどそのセクタは混雑していると判定する。一例として、電波状態が所定の閾値異常のＡＴ（１００）が、予め定められた数以上ある場合には混雑していると判断し、それ以外であれば混雑していないと判断することができる。なお、信号処理部（３２０）は、混雑状況に応じて、Ｎｕｌｌデータサイズの減少量を決定してもよい。ＡＰ（３００）は、Ｎｕｌｌデータの送出が終了（３０００−２７）した後、ＡＴ（１００）へ終了通知を送出（３０００−３３）する。
【００８６】
ＡＴ（１００）は、終了通知（３０００−３３）を受けると、スループット算出部（１２０−２）においてスループットを算出（３０００−７）する。スループットは受信Ｎｕｌｌデータ量をＮｕｌｌデータ受信時間で割ることで算出される（３０００−７−１）。
スループット算出値＝受信Ｎｕｌｌデータ量／Ｎｕｌｌデータ受信時間
ここで、受信Ｎｕｌｌデータ量は、Ｎｕｌｌデータカウンタ部（１２０−２１）でカウントされた値を用いることができる。Ｎｕｌｌデータ受信時間は、タイマ部（１２０−２２）で計測された時間を用いることができる。
【００８７】
また、算出されたスループットは、スループット表示要求部（１２０−３）の指示により、表示部（１４０−２）に表示される（３０００−８）。なお、信号処理部（１２０）は、算出されたスループットをＭＭ（１６０）に記憶しても良い。
【００８８】
ＡＰ（３００）は、Ｎｕｌｌデータ送出終了後（３０００−２８）に本処理の動作を終了（３０００−２８）する。また、ＡＴ（１００）は、スループット表示（３０００−８）後に本処理の動作を終了する（３０００−９）。なお、表示部（１４０−２）には、信号処理部（１２０）により算出されたスループットに基づく値、画像、基地局情報、エリア情報及び通信事業者情報のいずれか又は複数を表示することができる。
【００８９】
図８に、パケットスケジューリングアルゴリズムの代表例として、プロポーショナルフェア（Ｐｒｏｐｏｒｔｉｏｎａｌ  Ｆａｉｒ）方式についてのフローチャート（４０００）を示す。
【００９０】
１ｘＥＶ−ＤＯでは、アクティブなＡＴｉ（４０００−１０）は、測定したＣ／Ｉ値から受信すべきデータの伝送速度を決定し、データレート要求値ＤＲＣｉ（ｔ）（４０００−１２）をＡＰ（３００）へ通知する（４０００−１）。ここで、ｉは１〜ｎの整数であり、ＡＰと通信中の各ＡＴをＡＴ１、ＡＴ２、・・、ＡＴｉ、・・ＡＴｎで表す。また、ｎはＡＰと通信するＡＴの数である。
【００９１】
測定したＣ／Ｉ値から伝送速度を決めるにはＡＴ（１００）の信号処理部（１２０）にＤＲＣテーブル（１２０−４）を用意しておき、ＡＴ（１００）は、その表に従って伝送速度を決定する。
【００９２】
ＤＲＣｉ（ｔ）（４０００−１２）は約１．６７ｍｓ（６００Ｈｚ）ごとにアップデートされる。なお、スケジューラ（スケジューリング部（３２０−４）、以下同じ）が、あるアルゴリズムのもとでそのＡＴｉ（４０００−１０）にスロットを割り当てた場合、ＡＴｉ（４０００−１０）ではＤＲＣｉ（ｔ）（４０００−１２）送信タイミングに対して１．５スロット後のタイミングでそのＤＲＣｉ（ｔ）（４０００−１２）に対応する伝送速度のデータが受信される。
【００９３】
スケジューラは回線品質の時間変動を利用し、ＤＲＣｉ（ｔ）（４０００−１２）が高速伝送を要求しているＡＴｉ（４０００−１０）に優先的に送信スロットを割当て送信することにより、そのシステムのセクタスループットを向上させることができる。プロポーショナルフェアとよばれるこのスケジューラは、複数のＡＴｉ（４０００−１０）が競合する場合にはＤＲＣｉ（ｔ）（４０００−１２）が高い方のＡＴｉ（４０００−１０）に対し先に送信を開始することを基本とする。しかし、ＡＴｉ（４０００−１０）の電波伝播環境とデータの送信要求の発生頻度によっては、ＤＲＣｉ（ｔ）（４０００−１２）が高い特定のＡＴｉ（４０００−１０）にばかりスロットが割り当てられ送信されるのに対し、ＤＲＣｉ（ｔ）（４０００−１２）が低いＡＴｉ（４０００−１０）にはなかなかスロットが割り当てられないという、後者にとっては不都合な場合が生じることも考慮されなければならない。このスケジューラでは、送信を開始すべきＡＴｉ（４０００−１０）に対し、過去一定時間の間にすでに送信されたデータ量を考慮し、次のスロットで送信するＡＴｉ（４０００−１０）を決定する。
【００９４】
時刻ｔ（４０００−１１）において、ＡＴｉ（４０００−１０）からＤＲＣｉ（ｔ）が送信（４０００−１）された場合、スケジューラは、各ＡＴｉからのＤＲＣｉを受信する（４０００−２）。スケジューラは、過去一定時間にＡＴｉ（４０００−１０）に送信されたデータレート平均値Ｒｉ（ｔ）（４０００−１３）に基づき、ＡＴｉ（４０００−１０）のＤＲＣｉ（ｔ）／Ｒｉ（ｔ）（４０００−３）を求める。スケジューラは、ＤＲＣｉ（ｔ）（４０００−１２）を受信している他のＡＴにも同様の操作を実施する。スケジューラは、ＡＴｉのＤＲＣｉ（ｔ）／Ｒｉ（ｔ）が最大のＡＴｉに、次の送信スロットを割り当てる（４０００−４）。また、送信スロットが割り当てられたＡＴｉ宛てのデータがそのスロットの挿入され、送信される（４０００−７）。
【００９５】
ここで、時刻ｔ＋１（４０００−５）における、ＡＴｉごとのＲ（ｔ＋１）は以下の式により更新される（４０００−６）。
Ｒ（ｔ＋１）＝（１−１／ｔｃ）×Ｒ（ｔ）＋１／ｔｃ×ＤＲＣ（ｔ）
（ｔｃ＝時定数）
ここで時定数ｔｃは、過去一定時間の間にすでに送信されたデータ量を考慮する場合の時定数を表す。スケジューラは、時刻ｔをｔ＝ｔ＋１として、処理４０００−１〜７を実行する。なお、スケジューリングアルゴリズムとしては、図８に示す例以外にも適宜の手法を用いることができる。
【００９６】
ここで、空スロットの発生について説明する。
（１）ケース１（ＡＴのドーマントモード（ＤｏｒｍａｎｔＭｏｄｅ）による空き）
ＥＶ−ＤＯ方式は、いわゆるインターネット接続用の無線インフラであり、ＡＴユーザーとしてはウェブの受信−閲覧を繰り返すことが多くを占めると予想される。通信中の端末（ＡＴ）でも常にデータを受信しているわけではなく、事実上待機状態のＡＴが存在すると考えられる。これは、ドーマントモードと呼ばれ、ＡＰの内部処理では、セクタ内の電源だけ入っている非通信待機端末と同じく扱われる。特に、無線特性の良い端末には高レート通信のＤＲＣが割り当てられるので、データ速度向上によりダウンロード時間の短縮が起こり、空き時間が期待できる。また、同一セクタ内に通信中ＡＴが複数あったとしても、混雑地帯でなければデータスロットの空きは生じやすいと考えられる。
【００９７】
（２）ケース２（断続データ受信による発生）
ＡＴが受信するデータは、ＩＰ通信網を経由してＡＰから送信されるが、ＩＰ伝送の特性から、まとまったウェブを受信しているときでも、連続ではなく断続的にサーバーデータがＡＴへ送信（ＡＴが受信）されることが考えられ、そういう状況も空きスロットが発生する要因となる。
【００９８】
（３）ケース３（閾値未満による発生）
無線状態の悪いＡＴでは、ＤＲＣの最低レートである３８．４ｋｂｐｓのＣ／Ｉ閾値（４０００−１４の例）より下回ることがある。この場合、割り当て外となり、空きスロット発生の要因となる。ＥＶ−ＤＯ方式では一時的な電波特性の悪化やトンネル通過なども考慮し、すぐに回線を切らず、ある決められた秒数だけ回線を維持する機能がある。
【００９９】
（４）ケース４（ＥＶ−ＤＯの仕様上から発生する空きスロット）
ＥＶ−ＤＯの標準化仕様である、３ＧＰＰ２  Ｃ．Ｓ００２４の第９章に規定されているパケット伝送特性から、空きスロットが発生することが考えられる。複数因果による結果と考えられるが、数値シミュレーションや実際の実験データから確認されている。
【０１００】
図９に、ＡＴ（１００）におけるスループット算出値の表示例を示す。図示の例は、レート表示（５０００−１）、Ｃ／Ｉ表示（５０００−２）およびＩｎｔｅｒｆｅｒｅｎｃｅ表示（５０００−３）を組み合わせて表示した場合の例である。レート表示（５０００−１）はスループット値を数値表示させると共に、高いスループットほど図的に大きな円（または楕円）の図形を表示させ、データ通信のパイプが太くなる様子を表現している。
【０１０１】
Ｃ／Ｉ表示（５０００−２）は、主信号の受信レベルが高いほど上にバーが伸び、受信状態がよいことを表す。Ｉｎｔｅｒｆｅｒｅｎｃｅ表示（５０００−３）は、主信号以外の干渉波（妨害波）が多いほど矢印の表示個数が増加し、スループット低下の一要因が目視できる。
【０１０２】
なお、スループット算出値の表示例は、図示以外にも適宜の手法を用いてもよい。また、表示は、レート表示（５０００−１）、Ｃ／Ｉ表示（５０００−２）およびＩｎｔｅｒｆｅｒｅｎｃｅ表示（５０００−３）のうち適宜のものを組み合わせて表示するようにしてもよい。
【０１０３】
（変形例１）
図１１に、ＡＴ（１００）とＡＰ（３００）間におけるスループット算出の動作フローの変形例を示す。図１１に示す動作例は、上述の図６の示す処理の変形例であり、ＡＴ（１００）が、Ｎｕｌｌデータの受信開始から予め定められた時間が経過したことにより、スループットを算出するものである。なお、図６と同様の処理については、上述の符号と同じ符号を付し、詳細な説明は省略する。
【０１０４】
まず、ＡＴ（１００）は、処理２０００−１および２０００−２を実行する。ＡＴ（１００）がスループット算出を実施するときには、例えば操作者からの指示入力に従い、受信時間を予め定められた時間に設定し（５０００−４）、特番発信（２０００−３）により、ＤＲＣとＮｕｌｌデータ送出要求とをＡＰ（３００）へ送信する（２０００−３１）。また、  ＡＰ（３００）は、処理２０００−２０〜２０００−２４の処理を実行する。
【０１０５】
ＡＴ（１００）は、Ｎｕｌｌデータを受信する（２０００−５）。ＡＰ（３００）から受信したデータが、Ｎｕｌｌデータ判定部（１２０−１）によりＮｕｌｌデータ（２０００−３２）であると判定されると、ＡＴ（１００）内のＮｕｌｌカウント部（１２０−２１）は、受信したＮｕｌｌデータのデータ量をカウントする（５０００−６）。また、タイマ部（１２０−２２）は、Ｎｕｌｌデータの受信時間計測を始める（５０００−６）。
【０１０６】
ＡＴ（１００）により、Ｎｕｌｌデータ受信は、タイマ部（１２０−２２）の計測時間が、設定された受信時間の経過を示すまで繰り返される（２０００−５、５０００−６、７）。なお、ＡＴ（１００）は、受信時間の経過前であっても、Ｎｕｌｌデータファイルの送出終了通知を受信することにより、Ｎｕｌｌデータ受信をやめ、処理５０００−８へ移ってもよい。
【０１０７】
一方、ＡＰ（３００）でも、生成されたＮｕｌｌデータの送信が完了するまで送信を繰り返し（２０００−２３、２４）、Ｎｕｌｌデータの送出が終了（２０００−２５）した後、ＡＴ（１００）へＮｕｌｌデータ送出の終了通知を送出（２０００−３３）してもよい。
【０１０８】
ＡＴ（１００）は、設定された受信時間が経過すると、または、終了通知（２０００−３３）を受けると、タイマ部（１２０−２２）による時間の計測を止め、スループット算出部（１２０−２）においてスループットを算出（５０００−８）する。スループットは、受信Ｎｕｌｌデータ量をＮｕｌｌデータ受信時間で割ることで算出される（５０００−８−１）。
スループット算出値＝受信Ｎｕｌｌデータ量／Ｎｕｌｌデータ受信時間
【０１０９】
ここで、受信Ｎｕｌｌデータ量は、Ｎｕｌｌデータカウンタ部（１２０−２１）でカウントされた値を用いることができる。Ｎｕｌｌデータ受信時間は、タイマ部（１２０−２２）で計測された時間を用いることができる。また、Ｎｕｌｌデータ受信時間は、設定された受信時間を用いてもよい。次に、ＡＴ（１００）は、処理２０００−９を実行し、処理を終了する。また、ＡＰ（３００）も処理を終了する。
図１１に示す変形例は、図６の処理を変形した例であるが、同様にして、図７の処理を変形してもよい。
【０１１０】
（変形例２）
上述のＡＰ（３００）の処理２０００−２２〜３０００−２２−３は、以下の処理２０００−２２’〜２０００−２２−３’のように変形して実行することもできる。
まず、スケジューリング部（３２０−４）は、Ｎｕｌｌデータ送出要求が受信された端末（例えば図５のＡＴ３）以外の、実際にＡＰ（３００）と通信している端末（例えば図５のＡＴ１、ＡＴ２）について、パケットスケジューリングを行う（２０００−２２’）。パケットスケジューリングとしては、上述の図８に示す処理を用いることができるが、これ以外にも適宜の方法を用いることもできる。これにより、実際にＡＰ（３００）と通信している端末（例えばＡＴ１、ＡＴ２）について、スロットが割り当てられる。
【０１１１】
また、スケジューリング部（３２０−４）は、スケジューリング結果を参照し、空きスロットの有無を判定する（２０００−２２−１’）。スケジューリング部（３２０−４）は、空きスロットがある場合には（２０００−２２−１’）、空きスロット（例えば図１のスロット１１００−３）に生成されたＮｕｌｌパケットを挿入する（２０００−２２−２’）。
【０１１２】
一方、スケジューリング部（３２０−４）は、空きスロットがない場合には（２０００−２２−１’）、生成されたＮｕｌｌデータをスロットへ割り込ませる（２０００−２２−３’）。例えば、スケジューリング部（３２０−４）は、一時的に１ユーザ（または通信端末）が増えたとして、Ｎｕｌｌデータ送出要求が受信された端末（例えばＡＴ３）と、実際にＡＰ（３００）と通信している端末（例えばＡＴ１、ＡＴ２）とについて、パケットスケジューリングを行う。空きスロットがない場合でも、一時的に１ユーザが加わるというスケジューリングを行うことで、他ユーザ領域を削って（割り込み）一時的にＮｕｌｌデータをスロットに割り当てることができる。なお、処理３０００−２２〜３０００−２２−３についても、上述と同様の変形が可能である。
【０１１３】
図１３は、本変形例において、スロットが割り当てられたパケットの例を模式的に表した図（２）である。なお、図示のパケットにはトラフィックエリア（１１００）のみを示し、報知情報エリア（１０５０）は省略している。
【０１１４】
上述の処理２０００−２２’により、ＡＰ（３００）と通信中の端末（ＡＴ１、ＡＴ２）にスロットが割り当てられ、例えば図１３のパケット１１５０またはパケット１１７０のようになる。パケット１１５０は空スロットがある場合の例を示し、一方パケット１１７０は、空スロットがない場合の例を示す。
【０１１５】
空スロットがある場合（パケット１１５０の場合）、上述の処理２０００−２２−２’により、空スロットに、Ｎｕｌｌデータ送出要求が受信された端末（ＡＴ３）宛てのＮｕｌｌデータが挿入され、例えばパケット１１６０のようになる。
【０１１６】
一方、空スロットがない場合（パケット１１７０の場合）、上述の処理２０００−２２−３’により、Ｎｕｌｌデータ送出要求が受信された端末（ＡＴ３）宛てのＮｕｌｌデータが割り込まれ、例えばパケット１１８０のようになる。
【０１１７】
（変形例３）
また、上述の説明は、待機状態において、ひとつのＡＰ（３００）に対しての処理を示しているが、例えばセクタが重複しているエリアにＡＴ（１００）が位置している場合など、ＡＴが複数のＡＰと通信可能な場合などには、通信可能な複数のＡＰに対してそれぞれ、上述の処理を順次実行しても良い。また、複数のＡＰから電波を受信している場合、受信電波が最大または所定値以上のＡＰに対して、上述の処理を実行しても良い。
【図面の簡単な説明】
【０１１８】
【図１】本実施の形態におけるシステム構成図。
【図２】下りデータ回線のフレーム構造図。
【図３】無線通信端末（ＡＴ）のブロック図。
【図４】無線基地局（ＡＰ）のブロック図。
【図５】空きスロットにＮｕｌｌデータ‘３‘が入ったときのシステム構成。
【図６】ＡＴとＡＰ間における動作フローチャート（１）（Ｎｕｌｌデータサイズ固定）。
【図７】ＡＴとＡＰ間における動作フローチャート（２）（Ｎｕｌｌデータサイズ可変）。
【図８】スケジューリング（プロポーショナルフェア）アルゴリズムのフローチャート。
【図９】ＡＴにおけるスループット表示例。
【図１０】ＤＲＣテーブルの構成例。
【図１１】ＡＴとＡＰ間における動作フローチャートの変形例。
【図１２】スロットが割り当てられたパケットの例を模式的に表した図（１）。
【図１３】スロットが割り当てられたパケットの例を模式的に表した図（２）。
【符号の説明】
【０１１９】
１００−１、２、３、４・・・無線通信端末（ＡＴ）
１１０・・・送受信部
１１０−１  受信部
１１０−２  送信部
１２０・・・信号処理部
１２０−１・・・Ｎｕｌｌデータ判定部
１２０−２・・・スループット算出部
１２０−２１・・・Ｎｕｌｌデータカウント部
１２０−２２・・・タイマ部
１２０−３・・・スループット表示要求部
１２０−４・・・ＤＲＣテーブル
１３０・・・Ｉ／Ｏ制御部
１４０・・・周辺装置部
１４０−１・・・入力部
１４０−２・・・表示器
１４０−３・・・スピーカ
１５０・・・ＣＰＵ
１６０・・・メモリ（ＭＭ）
１７０・・・アンテナ
１８０・・・内部バス
２００・・・セクタ
２００−１・・・セクタ１
２００−２・・・セクタ２
３００・・・無線基地局（ＡＰ）
３１０・・・送受信部
３１０−１  受信部
３１０−２  送信部
３２０・・・信号処理部
３２０−１・・・ＡＴ要求信号判定部
３２０−２・・・ＤＲＣ決定部
３２０−３・・・Ｎｕｌｌデータ生成部
３２０−４・・・スケジューリング部
３３０・・・Ｉ／Ｏ制御部
３４０・・・周辺装置部
３４０−１・・・初期設定入力部
３５０・・・ＣＰＵ
３６０・・・メモリ（ＭＭ）
３７０・・・アンテナ
３８０・・・内部バス
４００・・・無線基地局制御部（ＢＳＣ）
５００・・・Ｉｎｔｅｒｎｅｔ
１０００・・・パケット（ＡＴ１およびＡＴ２のパケットデータが存在の時）
１０００−１・・・パケット（ＡＴ１、ＡＴ２およびＡＴ３のパケットデータが存在の時）
１０５０・・・報知情報エリア
１０６０・・・報知情報データ
１１００・・・トラフィックデータエリア
１１００−１・・・ＡＴ１データエリア
１１００−２・・・ＡＴ２データエリア
１１００−３・・・空きスロットエリア
１２００・・・パイロット信号
５０００−１・・・レート（スループット）表示例
５０００−２・・・Ｃ／Ｉ表示例
５０００−３・・・Ｉｎｔｅｒｆｅｒｅｎｃｅ表示例
【図１】
2005354126.tif 000003
【図２】
2005354126.tif 000004
【図３】
2005354126.tif 000005
【図４】
2005354126.tif 000006
【図５】
2005354126.tif 000007
【図６】
2005354126.tif 000008
【図７】
2005354126.tif 000009
【図８】
2005354126.tif 000010
【図９】
2005354126.tif 000011
【図１０】
2005354126.tif 000012
【図１１】
2005354126.tif 000013
【図１２】
2005354126.tif 000014
【図１３】
2005354126.tif 000015